(57)【要約】【課題】動吸振器を含んだダンパのダンパトルクに応じて発生する振動を低減する。【解決手段】本開示の一例としてのモータ制御装置は、クランク角とモータ角との差分に基づいて、エンジントルクの変動に応じてダンパが発生させる計算上のダンパトルクを算出するダンパトルク算出部と、計算上のダンパトルクと逆位相の逆相トルクを算出する逆相トルク算出部と、少なくともクランク角とモータ角とに基づいて、動吸振器が発生させる動吸振トルクに起因して発生する、実際のダンパトルクと計算上のダンパトルクとの間の位相ズレおよび振幅ズレをそれぞれ補正するための位相補正量および振幅補正量のうち少なくとも一方を算出する補正量算出部と、位相補正量および振幅補正量のうち少なくとも一方に基づいて補正された逆相トルクに基づいて、モータジェネレータに与えるモータトルク指令を出力するモータトルク指令出力部と、を備える。【選択図】図４
2020116978.tif 000002
【特許請求の範囲】
【請求項１】
動力源としてのエンジンおよびモータジェネレータと、前記エンジンのクランクシャフトのエンジントルクおよび前記モータジェネレータのモータシャフトのモータトルクのうち少なくとも一方に基づく駆動トルクを選択された変速比で車輪側に伝達するトランスミッションと、前記クランクシャフトに接続される入力慣性部材と当該入力慣性部材に対して弾性部材を介して接続される出力慣性部材と前記入力慣性部材および前記出力慣性部材のうち少なくとも一方に設けられる動吸振器とを有して前記クランクシャフトの振動を低減するダンパと、を備えた車両のモータ制御装置であって、
前記車両に設けられる第１センサにより検出される前記クランクシャフトの回転角度としてのクランク角と、前記車両に設けられる第２センサにより検出される前記モータシャフトの回転角度としてのモータ角と、の差分に基づいて、前記エンジントルクの変動に応じて前記ダンパが発生させる計算上のダンパトルクを算出するダンパトルク算出部と、
前記ダンパトルク算出部により算出された前記計算上のダンパトルクと逆位相の逆相トルクを算出する逆相トルク算出部と、
少なくとも前記第１センサにより検出される前記クランク角と前記第２センサにより検出される前記モータ角とに基づいて、前記動吸振器が発生させる動吸振トルクに起因して発生する、前記ダンパが発生させる実際のダンパトルクと前記計算上のダンパトルクとの間の位相ズレおよび振幅ズレをそれぞれ補正するための位相補正量および振幅補正量のうち少なくとも一方を算出する補正量算出部と、
前記位相補正量および前記振幅補正量のうち少なくとも一方に基づいて補正された前記逆相トルクに基づいて、前記モータジェネレータに与えるモータトルク指令を出力するモータトルク指令出力部と、
を備える、モータ制御装置。
【請求項２】
前記モータトルク指令出力部は、前記エンジンと前記トランスミッションとの間に設けられるクラッチが、前記エンジンの前記クランクシャフトと前記トランスミッションのインプットシャフトとを接続する接続状態になっている場合に、前記モータトルク指令を出力し、前記クラッチが前記クランクシャフトと前記インプットシャフトとの接続を遮断する遮断状態になっている場合に、前記モータトルクをゼロにする前記モータトルク指令を出力する、
請求項１に記載のモータ制御装置。
【請求項３】
前記モータトルク指令出力部は、前記クラッチが接続状態になっている場合であっても、前記車両を加速させる加速操作が行われていない場合には、前記モータトルクをゼロにする前記モータトルク指令を出力する、
請求項２に記載のモータ制御装置。
【請求項４】
前記補正量算出部は、前記動吸振トルクが発生しないと仮定した場合に想定される前記クランク角と前記モータ角との位相差に対応した第１の値と、前記第１センサにより検出される前記クランク角および前記第２センサにより検出される前記モータ角の、前記エンジンの爆発の一次周波数に対応した振動成分の位相差に対応した第２の値と、の差分に基づいて、前記位相補正量を算出する、
請求項１〜３のうちいずれか１項に記載のモータ制御装置。
【請求項５】
前記補正量算出部は、前記車両に設けられる第３センサにより検出される前記エンジンの回転数と、前記車両に設けられる第４センサにより検出される前記トランスミッションの変速段と、に基づいて、前記第１の値を取得する、
請求項４に記載のモータ制御装置。
【請求項６】
前記エンジンの回転数と、前記トランスミッションの変速段と、前記第１の値と、の関係を示す第１マップをさらに備え、
前記補正量算出部は、前記第３センサにより検出される前記エンジンの回転数および前記第４センサにより検出される前記トランスミッションの変速段に基づいて前記第１マップを参照することで、前記第１の値を取得する、
請求項５に記載のモータ制御装置。
【請求項７】
前記補正量算出部は、前記車両に設けられる第３センサにより検出される前記エンジンの回転数と、前記車両に設けられる第４センサにより検出される前記トランスミッションの変速段と、に基づいて、前記振幅補正量を取得する、
請求項１〜６のうちいずれか１項に記載のモータ制御装置。
【請求項８】
前記エンジンの回転数と、前記トランスミッションの変速段と、前記振幅補正量と、の関係を示す第２マップをさらに備え、
前記補正量算出部は、前記第３センサにより検出される前記エンジンの回転数および前記第４センサにより検出される前記トランスミッションの変速段に基づいて前記第２マップを参照することで、前記振幅補正量を取得する、
請求項７に記載のモータ制御装置。
【請求項９】
前記補正量算出部は、前記位相補正量および前記振幅補正量の両方を取得し、
前記モータトルク指令出力部は、位相成分に対して前記位相補正量が加算または減算され、かつ、振幅成分に前記振幅補正量が乗算されるように補正された前記逆相トルクに基づいて、前記モータトルク指令を出力する、
請求項１〜８のうちいずれか１項に記載のモータ制御装置。
【発明の詳細な説明】
【技術分野】
【０００１】
本開示は、モータ制御装置に関する。
【背景技術】
【０００２】
従来、エンジンのクランクシャフトの振動を低減するダンパであって、入力慣性部材と出力慣性部材とを含んだダンパが発生させるダンパトルクを推定し、推定したダンパトルクと逆位相のモータトルクをモータジェネレータにより出力することで、ダンパトルクに応じて発生する振動を低減する技術が知られている。このような従来の技術において、ダンパトルクは、たとえば、入力慣性部材と出力慣性部材との間の捩れ角に対応した捩れトルクとして推定される。
【先行技術文献】
【特許文献】
【０００３】
【特許文献１】特開２０１３−１６９９５３号公報
【発明の概要】
【発明が解決しようとする課題】
【０００４】
ここで、ダンパの構成として、入力慣性部材および出力慣性部材に加えて動吸振器を含んだ構成も考えられる。この構成のダンパトルクを推定するためには、捩れトルクに加えて、動吸振器の特性、すなわち動吸振器が発生させる動吸振トルクをさらに考慮することが必要となる。
【０００５】
しかしながら、上述した従来の技術は、動吸振トルクを考慮することなく、捩れトルクのみを考慮している。したがって、動吸振器を含んだダンパに対して上述した従来の技術をそのまま適用しても、ダンパトルクを正確に推定することができず、ダンパトルクに応じて発生する振動を有効に低減することができない。
【０００６】
そこで、本開示の課題の一つは、動吸振器を含んだダンパのダンパトルクに応じて発生する振動を低減することが可能なモータ制御装置を提供することである。
【課題を解決するための手段】
【０００７】
本開示にかかるモータ制御装置は、動力源としてのエンジンおよびモータジェネレータと、エンジンのクランクシャフトのエンジントルクおよびモータジェネレータのモータシャフトのモータトルクのうち少なくとも一方に基づく駆動トルクを選択された変速比で車輪側に伝達するトランスミッションと、クランクシャフトに接続される入力慣性部材と当該入力慣性部材に対して弾性部材を介して接続される出力慣性部材と入力慣性部材および出力慣性部材のうち少なくとも一方に設けられる動吸振器とを有してクランクシャフトの振動を低減するダンパと、を備えた車両のモータ制御装置であって、車両に設けられる第１センサにより検出されるクランクシャフトの回転角度としてのクランク角と、車両に設けられる第２センサにより検出されるモータシャフトの回転角度としてのモータ角と、の差分に基づいて、エンジントルクの変動に応じてダンパが発生させる計算上のダンパトルクを算出するダンパトルク算出部と、ダンパトルク算出部により算出された計算上のダンパトルクと逆位相の逆相トルクを算出する逆相トルク算出部と、少なくとも第１センサにより検出されるクランク角と第２センサにより検出されるモータ角とに基づいて、動吸振器が発生させる動吸振トルクに起因して発生する、ダンパが発生させる実際のダンパトルクと計算上のダンパトルクとの間の位相ズレおよび振幅ズレをそれぞれ補正するための位相補正量および振幅補正量のうち少なくとも一方を算出する補正量算出部と、位相補正量および振幅補正量のうち少なくとも一方に基づいて補正された逆相トルクに基づいて、モータジェネレータに与えるモータトルク指令を出力するモータトルク指令出力部と、を備える。
【０００８】
上述したモータ制御装置によれば、位相補正量および振幅補正量のうち少なくとも一方に基づいて、動吸振トルクに起因して発生する位相ズレおよび振幅ズレのうち少なくとも一方をキャンセルするように逆相トルクを補正し、補正後の逆相トルクに応じたモータトルク指令を出力することができるので、動吸振器を含んだダンパのダンパトルクに応じて発生する振動を低減することができる。
【０００９】
また、上述したモータ制御装置において、モータトルク指令出力部は、エンジンとトランスミッションとの間に設けられるクラッチが、エンジンのクランクシャフトとトランスミッションのインプットシャフトとを接続する接続状態になっている場合に、モータトルク指令を出力し、クラッチがクランクシャフトとインプットシャフトとの接続を遮断する遮断状態になっている場合に、モータトルクをゼロにするモータトルク指令を出力する。このような構成によれば、ダンパトルクがクラッチを介して車輪側に伝達されるか否かに応じて、当該ダンパトルクの影響を低減するためのモータトルクを発生させるか否かを切り替えることができる。
【００１０】
この場合において、モータトルク指令出力部は、クラッチが接続状態になっている場合であっても、車両を加速させる加速操作が行われていない場合には、モータトルクをゼロにするモータトルク指令を出力する。このような構成によれば、クラッチの状態に加えて加速操作の有無をさらに考慮して、ダンパトルクがクラッチを介して車輪側に伝達されるか否かに応じて、当該ダンパトルクの影響を低減するためのモータトルクを発生させるか否かを切り替えることができる。
【００１１】
また、上述したモータ制御装置において、補正量算出部は、動吸振トルクが発生しないと仮定した場合に想定されるクランク角とモータ角との位相差に対応した第１の値と、第１センサにより検出されるクランク角および第２センサにより検出されるモータ角の、エンジンの爆発の一次周波数に対応した振動成分の位相差に対応した第２の値と、の差分に基づいて、位相補正量を算出する。このような構成によれば、第１の値と第２の値との差分に基づいて、動吸振トルクに起因して発生する位相ズレに対応した位相補正量を容易に取得することができる。
【００１２】
この場合において、補正量算出部は、車両に設けられる第３センサにより検出されるエンジンの回転数と、車両に設けられる第４センサにより検出されるトランスミッションの変速段と、に基づいて、第１の値を取得する。このような構成によれば、第１の値が変化する要因として考えられる、エンジンの回転数およびトランスミッションの変速段を考慮して、適切な第１の値を取得することができる。
【００１３】
また、この場合において、モータ制御装置は、エンジンの回転数と、トランスミッションの変速段と、第１の値と、の関係を示す第１マップをさらに備え、補正量算出部は、第３センサにより検出されるエンジンの回転数および第４センサにより検出されるトランスミッションの変速段に基づいて第１マップを参照することで、第１の値を取得する。このような構成によれば、第１マップを利用して、適切な第１の値を容易に取得することができる。
【００１４】
また、上述したモータ制御装置において、補正量算出部は、車両に設けられる第３センサにより検出されるエンジンの回転数と、車両に設けられる第４センサにより検出されるトランスミッションの変速段と、に基づいて、振幅補正量を取得する。このような構成によれば、動吸振トルクに起因して発生する振幅ズレに対応した振幅補正量が変化する要因として考えられる、エンジンの回転数およびトランスミッションの変速段を考慮して、適切な振幅補正量を取得することができる。
【００１５】
この場合において、モータ制御装置は、エンジンの回転数と、トランスミッションの変速段と、振幅補正量と、の関係を示す第２マップをさらに備え、補正量算出部は、第３センサにより検出されるエンジンの回転数および第４センサにより検出されるトランスミッションの変速段に基づいて第２マップを参照することで、振幅補正量を取得する。このような構成によれば、第２マップを利用して、適切な振幅補正量を容易に取得することができる。
【００１６】
また、上述したモータ制御装置において、補正量算出部は、位相補正量および振幅補正量の両方を取得し、モータトルク指令出力部は、位相成分に対して位相補正量が加算または減算され、かつ、振幅成分に振幅補正量が乗算されるように補正された逆相トルクに基づいて、モータトルク指令を出力する。このような構成によれば、位相補正量および振幅補正量の両方に基づいて逆相トルクを適切に補正し、補正後の逆相トルクに応じた適切なモータトルク指令を出力することができる。
【図面の簡単な説明】
【００１７】
【図１】図１は、実施形態にかかるモータ制御装置を含む車両の駆動システムの構成を示した例示的かつ模式的なブロック図である。
【図２】図２は、実施形態にかかるダンパの構成を示した例示的かつ模式的な図である。
【図３】図３は、実施形態にかかるダンパの特性を示した例示的かつ模式的な図である。
【図４】図４は、実施形態にかかるモータ制御装置が有する機能モジュール群を示した例示的かつ模式的なブロック図である。
【図５】図５は、実施形態におけるクランク角とモータ角との位相差の一例を示した例示的かつ模式的な図である。
【図６】図６は、実施形態における位相補正用マップの一例を示した例示的かつ模式的な図である。
【図７】図７は、実施形態にかかる振幅補正用マップの一例を示した例示的かつ模式的な図である。
【図８】図８は、実施形態にかかるモータ制御装置が実行する一連の処理を示した例示的かつ模式的なフローチャートである。
【図９】図９は、実施形態の効果についてのシミュレーション結果を示した例示的かつ模式的な図である。
【発明を実施するための形態】
【００１８】
以下、本開示の実施形態を図面に基づいて説明する。以下に記載する実施形態の構成、ならびに当該構成によってもたらされる作用および結果（効果）は、あくまで一例であって、以下の記載内容に限られるものではない。
【００１９】
図１は、実施形態にかかるモータ制御装置１１０を含む車両Ｖの駆動システム１００の構成を示した例示的かつ模式的なブロック図である。
【００２０】
図１に示されるように、実施形態にかかる車両Ｖの駆動システム１００は、エンジン１０１と、モータジェネレータ１０２と、トランスミッション１０３と、ダンパ１０４と、クラッチ１０５と、モータ制御装置１１０と、を備えている。
【００２１】
エンジン１０１およびモータジェネレータ１０２は、車両Ｖの動力源である。エンジン１０１は、エンジンＥＣＵ（不図示）の制御に応じてエンジントルクを出力し、クランクシャフト１２１を回転させる。同様に、モータジェネレータ１０２は、モータ制御装置１１０の制御に応じてモータトルクを出力し、モータシャフト１２２を回転させる。
【００２２】
トランスミッション１０３は、エンジン１０１のクランクシャフト１２１のエンジントルクおよびモータジェネレータ１０２のモータシャフト１２２のモータトルクのうち少なくとも一方に基づく駆動トルクを選択された変速比で車輪Ｗ側に伝達する。駆動トルクは、ドライブシャフト１２３を介したドライブシャフトトルクとして車輪Ｗ側に伝達される。
【００２３】
ダンパ１０４は、クランクシャフト１２１の振動、すなわちエンジントルクの変動を低減（吸収）するトルク変動吸収装置である。ダンパ１０４は、次の図２に示されるような構成に基づき、エンジントルクの変動に応じて、捩れトルクおよび動吸振トルクに基づくダンパトルクを発生させる。
【００２４】
図２は、実施形態にかかるダンパ１０４の構成を示した例示的かつ模式的な図である。図２に示されるように、実施形態にかかるダンパ１０４は、入力慣性部材２０１と、出力慣性部材２０２と、動吸振器２１１と、弾性部材２２１と、を備えている。入力慣性部材２０１および出力慣性部材２０３は、たとえば同一の回転中心に対して互いに相対的に回転可能な構造を有している。
【００２５】
入力慣性部材２０１は、エンジン１０１のクランクシャフト１２１に接続される。すなわち、入力慣性部材２０１は、ダンパ１０４においてエンジントルクの変動が入力される入力側に設けられる。
【００２６】
出力慣性部材２０２は、入力慣性部材２０１に対して弾性部材２２１を介して接続される。これにより、入力慣性部材２０１と出力慣性部材２０２との間では、弾性部材２２１の捩れ変形に起因して発生する捩れトルク（矢印Ａ２０１参照）が伝達される。
【００２７】
動吸振器２１１は、出力慣性部材２０２に設けられる。動吸振器２１１は、たとえば振動可能な質量体を含んでおり、当該質量体の振動に起因して発生する動吸振トルク（矢印Ａ２０２参照）により、出力慣性部材２０２の振動を低減する。
【００２８】
このような構成により、実施形態にかかるダンパ１０４は、次の図３に示されるように、弾性部材２２１が発生させる捩れトルクと、動吸振器２１１が発生させる動吸振トルクと、の合成トルクを、（トータルの）ダンパトルクとして発生させる。
【００２９】
図３は、実施形態にかかるダンパ１０４の特性を示した例示的かつ模式的な図である。図３に示される例において、実線Ｌ３００は、ダンパ１０４が発生させる（トータルの）ダンパトルクの時間変化に対応し、一点鎖線Ｌ３０１は、ダンパトルクのうち、弾性部材２２１が発生させる捩れトルクの時間変化に対応し、二点鎖線Ｌ３０２は、ダンパトルクのうち、動吸振器２１１が発生させる動吸振トルクに対応する。
【００３０】
図３に示される一点鎖線Ｌ３０１および二点鎖線Ｌ３０２（および図２に示される矢印Ａ２０１およびＡ２０２）の関係から分かるように、動吸振トルクは、捩れトルクを打ち消すような態様を示す。ただし、動吸振トルクの振幅は捩れトルクの振幅よりも小さく、動吸振トルクの位相と捩れトルク位相とは、完全な逆位相の関係ではない。
【００３１】
したがって、実施形態において、捩れトルクと動吸振トルクとの合成トルクとしてのダンパトルクは、捩れトルクに対して、寸法Ｄ３０１で示される位相ズレと、寸法Ｄ３０２で示される振幅ズレと、を有するような時間変化を示す（実線Ｌ３００および一点鎖線Ｌ３０１参照）。
【００３２】
図１に戻り、クラッチ１０５は、エンジン１０１とトランスミッション１０３との間に設けられ、エンジン１０１のクランクシャフト１２１とトランスミッション１０３のインプットシャフト１２４との接続／遮断を切り替える。
【００３３】
より具体的に、クラッチ１０５は、クランクシャフト１２１とインプットシャフト１２４とを接続する接続状態になっている場合に、クランクシャフト１２１とインプットシャフト１２４との間のトルク（の少なくとも一部）の伝達を実施し、クランクシャフト１２１とインプットシャフト１２４との接続を遮断する接続状態になっている場合に、クランクシャフト１２１とインプットシャフト１２４との間のトルクの伝達を遮断する。
【００３４】
モータ制御装置１１０は、たとえば、プロセッサやメモリなどといった通常のコンピュータと同様のハードウェアを備えたマイクロコンピュータとして構成されたＥＣＵ（Ｅｌｅｃｔｒｏｎｉｃ  Ｃｏｎｔｒｏｌ  Ｕｎｉｔ）である。モータ制御装置１１０は、モータジェネレータ１０２に指令値としてのモータトルク指令を与えることで、モータジェネレータ１０２のモータトルクを制御する。
【００３５】
モータ制御装置１１０は、車両Ｖに設けられる各種のセンサを、制御に利用することができる。図１に示される例では、各種のセンサとして、クランク角センサ１３１と、モータ角センサ１３２と、アクセルポジションセンサ１３３と、クラッチポジションセンサ１３４と、シフトポジションセンサ１３５と、が例示されている。
【００３６】
クランク角センサ１３１は、クランクシャフト１２１の回転角度としてのクランク角を検出する。クランク角センサ１３１の検出結果を利用すれば、エンジン１０１の回転数を検出することも可能である。クランク角センサ１３１は、「第１センサ」の一例であるとともに、「第３センサ」の一例である。
【００３７】
モータ角センサ１３２は、モータシャフト１２２の回転角度としてのモータ角を検出する。モータ角センサ１３２は、「第２センサ」の一例である。
【００３８】
アクセルポジションセンサ１３３は、たとえばアクセルペダルなどといった、車両Ｖを加速させる加速操作を行うための加速操作部（不図示）の操作量（操作位置）などを検出することで、ドライバにより加速操作が行われているか否かを検出する。
【００３９】
クラッチポジションセンサ１３４は、たとえばクラッチペダルなどといった、クラッチ１０５を操作するためのクラッチ操作部（不図示）の操作量（操作位置）などを検出することで、クラッチ１０５が接続状態になっているか遮断状態になっているかを検出する。
【００４０】
シフトポジションセンサ１３５は、トランスミッション１０３に現在設定されている変速段（シフト段）を検出する。シフトポジションセンサ１３５は、「第４センサ」の一例である。
【００４１】
ところで、従来、実施形態にかかる動吸振器２１１に対応した構成を含まないダンパ、すなわち、入力慣性部材２０１に対応した構成と出力慣性部材２０３に対応した構成と（のみ）を含んだダンパが発生させるダンパトルクを推定し、推定したダンパトルクと逆位相のモータトルクを出力することで、ダンパトルクに起因して発生する振動を低減する技術が知られている。このような従来の技術において、ダンパトルクは、クランク角とモータ角との差分に基づいて、入力慣性部材２０１と出力慣性部材２０３との間の捩れ角に対応した捩れトルクとして推定される。
【００４２】
しかしながら、実施形態にかかるダンパ１０４のような、動吸振器２１１を含んだ構成においては、捩れトルクに加えて、動吸振器２１１の特性、すなわち動吸振器２１１が発生させる動吸振トルクをさらに考慮しないと、ダンパトルクに応じて発生する振動を適切に低減することができない。
【００４３】
より具体的に、動吸振器２１１を含んだダンパ１０４は、前述したように、捩れトルクと動吸振トルクとの合成トルクとして、捩れトルクに対して位相ズレおよび振幅ズレを有したダンパトルクを発生させる。しかしながら、上述した従来の技術は、捩れトルクのみを考慮している。したがって、動吸振器２１１を含んだダンパ１０４に上述した従来の技術をそのまま適用しても、モータトルクで打ち消すべきダンパトルクを正確に推定することができず、結果として、ダンパトルクに応じて発生する振動を適切に低減することができない。
【００４４】
そこで、実施形態は、次の図４に示されるような機能モジュール群をモータ制御装置１１０内に実現することで、動吸振器２１１を含んだダンパ１０４のダンパトルクに応じて発生する振動を適切に低減することを実現する。
【００４５】
図４は、実施形態にかかるモータ制御装置１１０が有する機能モジュール群を示した例示的かつ模式的なブロック図である。図４に示される機能モジュール群は、たとえば、モータ制御装置１１０のプロセッサがメモリなどに記憶された制御プログラムを読み出した結果として、ハードウェアとソフトウェアとの協働により実現される。ただし、実施形態では、図４に示される機能モジュール群の一部または全部が、専用のハードウェア（回路）によって実現されてもよい。
【００４６】
図４に示されるように、モータ制御装置１１０は、判定部４０１と、ダンパトルク算出部４０２と、フィルタ処理部４０３と、逆相トルク算出部４０４と、フィルタ処理部４０５と、補正量算出部４０６と、補正処理部４０７と、指令決定部４０８と、制御部４０９と、を備えている。また、モータ制御装置１１０は、制御に使用するデータとして、位相補正用マップ４１１と、振幅補正用マップ４１２と、を備えている。
【００４７】
判定部４０１は、アクセルポジションセンサ１３３およびクラッチポジションセンサ１３４の検出結果に基づいて、ダンパトルクを相殺してドライブシャフト１２３の振動を低減するためのモータトルクの出力の要否を判定する。なお、以下では、ドライブシャフト１２３の振動を低減するためのモータトルクを、制振トルクと表現することがある。
【００４８】
たとえば、クラッチ１０５が遮断状態になっている場合や、クラッチ１０５が接続状態になっていたとしても加速操作が行われていない場合などにおいては、エンジントルクの変動がドライブシャフト１２３に伝達されないので、制振トルクを出力する必要がない。したがって、このような場合、判定部４０１は、制振トルクがゼロになるように、制振トルクを出力する必要がない旨を指令決定部４０８に通知する。
【００４９】
一方、クラッチ１０５が接続状態になっており、かつ加速操作が行われている場合は、エンジントルクの変動がドライブシャフト１２３に伝達されるので、制振トルクによって振動を低減する必要がある。したがって、このような場合、判定部４０１は、ダンパトルクを相殺するための制振トルクが出力されるように、制振トルクを出力する必要がある旨を指令決定部４０８に通知する。
【００５０】
ダンパトルク算出部４０２は、クランク角センサ１３１およびモータ角センサ１３２の検出結果に基づいて、次に説明するような計算により、上述した比較例にかかる技術と同様の、入力慣性部材２０１と出力慣性部材２０３との間の捩れ角に対応した捩れトルクとしての計算上のダンパトルクを算出（推定）する。
【００５１】
すなわち、クランク角センサ１３１の検出結果としてのクランク角をθ１とし、モータ角センサ１３２の検出結果としてのモータ角をθ２とすると、ダンパトルク算出部４０２は、θ１とθ２との差分を表す（θ１−θ２）という式に基づいて、入力慣性部材２０１と出力慣性部材２０３との間の捩れ角を算出する。そして、ダンパ１０４の回転ばね定数をＫとすると、ダンパトルク算出部４０２は、（θ１−θ２）という式で表されるダンパ１０４の捩れ角と、弾性部材２２１の回転ばね定数Ｋとの乗算に基づいて、計算上のダンパトルクを算出する。
【００５２】
フィルタ処理部４０３は、ダンパトルク算出部４０２の算出結果にフィルタリング処理を施し、エンジン１０１の爆発の一次周波数に対応した振動成分を抽出する。フィルタ処理部４０３は、このような抽出処理を、たとえば、エンジン１０１の爆発の一次周波数に対応した周波数帯域を通過帯域とするバンドパスフィルタによって実現する。
【００５３】
逆相トルク算出部４０４は、フィルタ処理部４０３の抽出結果に対する位相の反転処理などを実行することで、制振トルクを算出する基となる、推定上のダンパトルクとは逆位相の逆相トルクを算出する。
【００５４】
ところで、前述したように、実施形態にかかるダンパ１０４において真に打ち消すべきダンパトルクは、弾性部材２２１が発生させる捩れトルクと、動吸振器２１１が発生させる動吸振トルクと、の合成トルクである。
【００５５】
これに対して、逆相トルクを算出する基として逆相トルク算出部４０４に入力される計算上のダンパトルクは、入力慣性部材２０１と出力慣性部材２０３との間の捩れ角に基づいて算出される値、すなわち、弾性部材２２１が発生させる捩れトルクのみに対応した値である。
【００５６】
したがって、ダンパトルクに応じて発生する振動を有効に低減するためには、逆相トルク算出部４０４により算出される逆相トルクに対して、動吸振器２１１が発生させる動吸振トルクに起因して発生するズレ（前述した位相ズレおよび振幅ズレ）の補正を施す必要がある。
【００５７】
そこで、実施形態は、以下に説明するような構成により、前述した位相ズレおよび振幅ズレをそれぞれ補正するための位相補正量および振幅補正量を算出し、算出結果に基づいて、逆相トルク算出部４０４により算出される逆相トルクを補正する。
【００５８】
フィルタ処理部４０５は、クランク角センサ１３１およびモータ角センサ１３２の検出結果にフィルタリング処理を施し、エンジン１０１の爆発の一次周波数に対応した振動成分を抽出する。前述したフィルタ処理部４０３と同様、フィルタ処理部４０５は、このような抽出処理を、たとえば、エンジン１０１の爆発の一次周波数に対応した周波数帯域を通過帯域とするバンドパスフィルタによって実現する。
【００５９】
補正量算出部４０６は、フィルタ処理部４０５の抽出結果と、アクセルポジションセンサ１３３およびシフトポジションセンサ１３５の検出結果と、に基づいて、動吸振器２１１が発生させる動吸振トルクに起因して発生する、ダンパ１０４が発生させる実際のダンパトルクと、計算上のダンパトルク（弾性部材２２１が発生させる捩れトルク）と、の間の位相ズレおよび振幅ズレをそれぞれ補正するための位相補正量および振幅補正量を算出する。
【００６０】
まず、逆相トルクの位相成分に加算または減算すべき位相補正量の算出方法について説明する。
【００６１】
補正量算出部４０６は、動吸振トルクが発生しないと仮定した場合に想定されるクランク角とモータ角との位相差に対応した第１の値と、クランク角センサ１３１により検出されるクランク角およびモータ角センサ１３２により検出されるモータ角の、エンジン１０１の爆発の一次周波数に対応した振動成分の位相差に対応した第２の値と、の差分に基づいて、位相補正量を算出する。なお、以下では、第１の値を参照位相差と表現し、第２の値を実位相差と表現することがある。
【００６２】
実位相差は、フィルタ処理部４０５の抽出結果に基づいて算出することができる。すなわち、前述したように、フィルタ処理部４０５は、クランク角センサ１３１の検出結果としてのクランク角と、モータ角センサ１３２の検出結果としてのモータ角と、のそれぞれの、エンジン１０１の爆発の一次周波数に対応した振動成分を抽出しているので、補正量算出部４０６は、これらの抽出結果を比較することで、たとえば次の図５に示されるような形で、位相補正量を算出する。
【００６３】
図５は、実施形態におけるクランク角とモータ角との位相差の一例を示した例示的かつ模式的な図である。図５に示される例において、実線Ｌ５０１は、クランク角の、エンジン１０１の爆発の一次周波数に対応した振動成分の時間変化を表しており、実線Ｌ５０２は、モータ角の、エンジン１０１の爆発の一次周波数に対応した振動成分の時間変化を表している。
【００６４】
図５に示されるように、クランク角が所定の閾値Ｔｈを超えるタイミングＴ１と、モータ角が所定の閾値Ｔｈを超えるタイミングＴ２と、の間には、所定の時間差Δｔａ（＝Ｔ１−Ｔ２）が存在する。補正量算出部４０６は、フィルタ処理部４０５の抽出結果に基づいて時間差Δｔａを取得し、当該時間差Δｔａに基づいて、実位相差を算出する。このように算出された実位相差は、モータ角およびクランク角に関する情報の実測値に基づいているので、ダンパ１０４の実際の構造を反映した値、すなわち、捩れトルクおよび動吸振器トルクの両方の影響を考慮した値となっている。
【００６５】
なお、図５に示される例において、実位相差は、クランク角が所定の閾値Ｔｈを下回るタイミングと、モータ角が所定の閾値Ｔｈを下回るタイミングと、の差分に基づいて算出されてもよい。
【００６６】
一方、参照位相差は、クランク角センサ１３１およびシフトポジションセンサ１３５の検出結果と、次の図６に示されるような位相補正用マップ４１１と、に基づいて算出することができる。位相補正用マップ４１１は、「第１マップ」の一例である。
【００６７】
図６は、実施形態にかかる位相補正用マップ４１１の一例を示した例示的かつ模式的な図である。図６に示されるように、位相補正用マップ４１１とは、エンジン１０１の回転数と、トランスミッション１０３の変速段と、参照位相差と、の関係を示す情報として予め設定されたデータである。
【００６８】
位相補正用マップ４１１には、エンジン１０１の回転数と参照位相差との関係が、変速段の段階に応じた複数の線（実線Ｌ６０１、破線Ｌ６０２、一点鎖線Ｌ６０３、および二点鎖線Ｌ６０４）として定義されている。実線Ｌ６０１は、低速〜中速（たとえば第１速〜第３速）の変速段におけるエンジン１０１の回転数と参照位相差との関係に対応し、破線Ｌ６０２は、実線Ｌ６０１の変速段よりも高速（たとえば第４速）の変速段におけるエンジン１０１の回転数と参照位相差との関係に対応する。また、一点鎖線Ｌ６０３は、破線Ｌ６０２の変速段よりもさらに高速（たとえば第５速）の変速段におけるエンジン１０１の回転数と参照位相差との関係に対応し、二点鎖線Ｌ６０４は、最高速（たとえば第６速）の変速段におけるエンジン１０１の回転数と参照位相差との関係に対応する。
【００６９】
位相補正用マップ４１１によれば、上述した複数の線から、シフトポジションセンサ１３５の検出結果に基づいて取得される変速段に応じた１つの線を選択した上で、クランク角センサ１３１の検出結果に基づいて取得されるエンジン１０１の回転数に対応した点を抽出することで、状況に応じた適切な参照位相差を容易に特定することができる。
【００７０】
このように、実施形態において、補正量算出部４０６は、クランク角センサ１３１により検出されるエンジン１０１の回転数とシフトポジションセンサ１３５により検出されるトランスミッション１０３の変速段とに基づいて位相補正用マップ４１１を参照することで、参照位相差を取得する。なお、参照位相差は、動吸振トルクが発生しないとの仮定に基づく値であるので、捩れトルクおよび動吸振トルクのうち、捩れトルクのみの影響を考慮した値であるといえる。
【００７１】
実施形態において、補正量算出部４０６は、上記の方法で取得された実位相差と参照位相差との差分に基づいて、逆相トルクの位相成分に加算または減算すべき位相補正量を算出する。前述したように、実位相差は、捩れトルクおよび動吸振器トルクの両方の影響を考慮した値であり、参照位相差は、捩れトルクのみの影響を考慮した値であるので、実位相差をΔｔａとし、参照位相差をΔｔｂとすると、両者の差分を示す（Δｔａ−Δｔｂ）という式により算出される位相補正量は、動吸振トルクの影響により発生する位相ズレに対応する。
【００７２】
次に、逆相トルクの振幅成分に乗算すべき振幅補正量の算出方法について説明する。
【００７３】
補正量算出部４０６は、クランク角センサ１３１により検出されるエンジン１０１の回転数と、シフトポジションセンサ１３５により検出されるトランスミッション１０３の変速段と、に基づいて、次の図７に示される振幅補正用マップ４１２を参照することで、振幅補正量を算出する。振幅補正用マップ４１２は、「第２マップ」の一例である。
【００７４】
図７は、実施形態にかかる振幅補正用マップ４１２の一例を示した例示的かつ模式的な図である。図７に示されるように、振幅補正用マップ４１２とは、エンジン１０１の回転数と、トランスミッション１０３の変速段と、振幅補正量と、の関係を示す情報として予め設定されたデータである。
【００７５】
振幅補正用マップ４１２には、エンジン１０１の回転数と振幅補正量との関係が、変速段の段階に応じた複数の線（実線Ｌ７０１、破線Ｌ７０２、一点鎖線Ｌ７０３、および二点鎖線Ｌ７０４）として定義されている。実線Ｌ７０１は、低速〜中速（たとえば第１速〜第３速）の変速段におけるエンジン１０１の回転数と振幅補正量との関係に対応し、破線Ｌ７０２は、実線Ｌ７０１の変速段よりも高速（たとえば第４速）の変速段におけるエンジン１０１の回転数と振幅補正量との関係に対応する。また、一点鎖線Ｌ６０３は、破線Ｌ７０２の変速段よりもさらに高速（たとえば第５速）の変速段におけるエンジン１０１の回転数と振幅補正量との関係に対応し、二点鎖線Ｌ７０４は、最高速（たとえば第６速）の変速段におけるエンジン１０１の回転数と振幅補正量との関係に対応する。
【００７６】
振幅補正用マップ４１２によれば、上述した複数の線から、シフトポジションセンサ１３５の検出結果に基づいて取得される変速段に応じた１つの線を選択した上で、クランク角センサ１３１の検出結果に基づいて取得されるエンジン１０１の回転数に対応した点を抽出することで、状況に応じた適切な振幅補正量を容易に特定することができる。
【００７７】
このような方法により、実施形態において、補正量算出部４０６は、フィルタ処理部４０５の抽出結果と、クランク角センサ１３１およびシフトポジションセンサ１３５の検出結果と、位相補正用マップ４１１および振幅補正用マップ４１２と、に基づいて、動吸振トルクに起因して発生する実際のダンパトルクと計算上のダンパトルクとの間の位相ズレおよび振幅ズレにそれぞれ対応した位相補正量および振幅補正量を取得する。
【００７８】
そして、図２に戻り、補正処理部４０７は、逆相トルク算出部４０４により算出された逆相トルクの位相成分および振幅成分を、補正量算出部４０６により算出された位相補正量および振幅補正量に基づいてそれぞれ補正する。より具体的に、補正処理部４０７は、逆相トルクの位相成分を位相補正量の分だけずらす（遅らせる）とともに、逆相トルクの振幅成分を振幅補正量倍する。これにより、動吸振トルクに起因して逆相トルク（計算上のダンパトルク）に発生する位相ズレおよび振幅ズレの影響をキャンセルし、捩れトルクおよび動吸振トルクの両方の合成トルクとしての実際のダンパトルクを適切に相殺可能な制振トルクを算出することができる。
【００７９】
なお、上記のような補正処理は、逆相トルクをＴｑ、位相補正量をΔｔ、振幅補正量をＧ、制御周期をＴｓとすると、遅延演算子ｚ−１を利用した、Ｇ×Ｔｑ×（ｚ−１）Δｔ／Ｔｓという式によって実現することができる。
【００８０】
指令決定部４０８は、制振トルクを出力する必要があると判定部４０１により判定された場合に、補正処理部４０７により算出された制振トルクに基づいて、モータジェネレータ１０２に与えるモータトルク指令を決定する。
【００８１】
そして、制御部４０９は、指令決定部４０８により決定されたモータトルク指令に基づいて、モータジェネレータ１０２を駆動する。
【００８２】
このように、指令決定部４０８および制御部４０９は、補正量算出部４０６の算出結果としての位相補正量および振幅補正量によって補正された逆相トルクに基づいて、モータジェネレータ１０２に与えるモータトルク指令を出力するモータトルク指令出力部として機能する。
【００８３】
以上の構成に基づき、実施形態にかかるモータ制御装置１１０は、次の図８に示されるような処理フローに従って一連の処理を実行する。
【００８４】
図８は、実施形態にかかるモータ制御装置１１０が実行する一連の処理を示した例示的かつ模式的なフローチャートである。
【００８５】
図８に示されるように、実施形態では、まず、Ｓ８０１において、モータ制御装置１１０の判定部４０１は、制振トルクによる制振が必要か否かを判断する。前述したように、この判断は、アクセルポジションセンサ１３３の検出結果と、クラッチポジションセンサ１３４の検出結果と、に基づいて行われる。
【００８６】
Ｓ８０１において、制振が必要だと判断された場合、Ｓ８０２に処理が進む。そして、Ｓ８０２において、モータ制御装置１１０のダンパトルク算出部４０２は、クランク角センサ１３１の検出結果と、モータ角センサ１３２の検出結果と、ダンパ１０４の回転ばね定数と、に基づく前述した計算により、計算上のダンパトルクを算出する。
【００８７】
そして、Ｓ８０３において、モータ制御装置１１０のフィルタ処理部４０３は、Ｓ８０２で算出された計算上のダンパトルクに対するフィルタリング処理を実行する。このＳ８０３で実行されるフィルタリング処理は、前述したように、計算上のダンパトルクから、エンジン１０１の爆発の一次周波数に対応した振動成分を抽出する処理である。
【００８８】
そして、Ｓ８０４において、モータ制御装置１１０の逆相トルク算出部４０４は、Ｓ８０３の処理の結果に対する位相の反転処理などを実行することで、計算上のダンパトルクとは逆位相の逆相トルクを算出する。
【００８９】
そして、Ｓ８０５において、モータ制御装置１１０のフィルタ処理部４０５は、クランク角センサ１３１およびモータ角センサ１３２のそれぞれの検出結果としてのクランク角およびモータ角に対するフィルタリング処理を実行する。このＳ８０５で実行されるフィルタリング処理は、前述したように、クランク角およびモータ角から、エンジン１０１の爆発の一次周波数に対応した振動成分を抽出する処理である。
【００９０】
そして、Ｓ８０６において、モータ制御装置１１０の補正量算出部４０６は、Ｓ８０５で抽出された２つの振動成分の差分に基づいて、弾性部材２２１が発生させる捩れトルクおよび動吸振器２１１が発生させる動吸振器トルクの両方の影響を考慮した値としての実位相差を算出する。
【００９１】
そして、Ｓ８０７において、モータ制御装置１１０の補正量算出部４０６は、クランク角センサ１３１の検出結果から取得されるエンジン１０１の回転数と、シフトポジションセンサ１３５の検出結果から取得されるトランスミッション１０３の変速段と、に基づいて位相補正用マップ４１１を参照することで、弾性部材２２１が発生させる捩れトルクのみの影響を考慮した値としての参照位相差を算出する。
【００９２】
そして、Ｓ８０８において、モータ制御装置１１０の補正量算出部４０６は、Ｓ８０６で算出された実位相差と、Ｓ８０７で算出された参照位相差と、の差分に基づいて、動吸振トルクの影響により発生する位相ズレに対応した位相補正量を算出する。
【００９３】
そして、Ｓ８０９において、モータ制御装置１１０の補正量算出部４０６は、クランク角センサ１３１の検出結果から取得されるエンジン１０１の回転数と、シフトポジションセンサ１３５の検出結果から取得されるトランスミッション１０３の変速段と、に基づいて振幅補正用マップ４１２を参照することで、動吸振トルクの影響により発生する振幅ズレに対応した振幅補正量を算出する。
【００９４】
そして、Ｓ８１０において、モータ制御装置１１０の補正処理部４０７は、Ｓ８０８およびＳ８０９でそれぞれ算出された位相補正量および振幅補正量により、Ｓ８０４で算出された逆相トルクを補正する。より具体的に、補正処理部４０７は、逆相トルクの位相成分に位相補正量を加算または減算するとともに、逆相トルクの振幅成分に振幅補正量を乗算する。これにより、動吸振トルクに起因して逆相トルク（計算上のダンパトルク）に発生する位相ズレおよび振幅ズレの影響をキャンセルし、捩れトルクおよび動吸振トルクの両方の合成トルクとしての実際のダンパトルクを適切に相殺可能な制振トルクを算出することができる。
【００９５】
そして、Ｓ８１１において、モータ制御装置１１０の指令決定部４０８は、Ｓ８１０で補正された逆相トルクに応じたモータトルクである制振トルクを発生させるためのモータトルク指令を決定する。
【００９６】
そして、Ｓ８１２において、モータ制御装置１１０の制御部４０９は、Ｓ８１１で決定されたモータトルク指令をモータジェネレータ１０２に出力する。そして、処理が終了する。
【００９７】
なお、実施形態では、Ｓ８０１において制振が必要だと判断された場合、Ｓ８１３に処理が進む。この場合、制振トルクの出力は不要であるので、Ｓ８１３において、モータ制御装置１１０の指令決定部４０８は、モータトルクをゼロにするためのモータトルク指令を決定する。
【００９８】
Ｓ８１３の処理の後は、Ｓ８１１の処理の後と同様、Ｓ８１２に処理が進む。そして、Ｓ８１２において、モータ制御装置１１０の制御部４０９は、Ｓ８１３で決定された、モータトルクをゼロにするためのモータトルク指令をモータジェネレータ１０２に出力する。そして、処理が終了する。
【００９９】
以上説明したように、実施形態にかかるモータ制御装置１１０は、クランクシャフト１２１に接続される入力慣性部材２０１と、当該入力慣性部材２０１に対して弾性部材２２１を介して接続される出力慣性部材２０３と、当該出力慣性部材２０３に設けられる動吸振器２１１と、を含むダンパ１０４を備えた車両Ｖに適用される。
【０１００】
また、実施形態にかかるモータ制御装置１１０は、ダンパトルク算出部４０２と、逆相トルク算出部４０４と、補正量算出部４０６と、モータトルク指令出力部としての指令決定部４０８および制御部４０９と、を備えている。ダンパトルク算出部４０２は、クランク角センサ１３１により検出されるクランク角とモータ角センサ１３２により検出されるモータ角との差分に基づいて、エンジントルクの変動に応じてダンパ１０４が発生させる計算上のダンパトルクを算出する。逆相トルク算出部４０４は、ダンパトルク算出部４０２により算出された計算上のダンパトルクと逆位相の逆相トルクを算出する。補正量算出部４０６は、少なくともクランク角センサ１３１により検出されるクランク角とモータ角センサ１３２により検出されるモータ角とに基づいて、動吸振器２１１が発生させる動吸振トルクに起因して発生する、ダンパ１０４が発生させる実際のダンパトルクと計算上のダンパトルクとの間の位相ズレおよび振幅ズレをそれぞれ補正するための位相補正量および振幅補正量を算出する。指令決定部３０８および制御部３０９は、位相補正量および振幅補正量に基づいて補正された逆相トルクに基づいて、モータジェネレータ１０２に与えるモータトルク指令を出力する。
【０１０１】
上記のような構成によれば、位相補正量および振幅補正量に基づいて、動吸振トルクに起因して発生する位相ズレおよび振幅ズレをキャンセルするように逆相トルクを補正し、補正後の逆相トルクに応じたモータトルク指令を出力することができるので、動吸振器を含んだダンパのダンパトルクに応じて発生する振動を低減することができる。
【０１０２】
なお、実施形態において、指令決定部３０８および制御部３０９は、エンジン１０１とトランスミッション１０３との間に設けられるクラッチ１０５が、クランクシャフト１２１とインプットシャフト１２４とを接続する接続状態になっている場合に、モータトルク指令を出力し、クラッチ１０５がクランクシャフト１２１とインプットシャフト１２４との接続を遮断する遮断状態になっている場合に、モータトルクをゼロにするモータトルク指令を出力する。このような構成によれば、ダンパトルクがクラッチを介して車輪Ｗ側に伝達されるか否かに応じて、当該ダンパトルクの影響を低減するためのモータトルクを発生させるか否かを切り替えることができる。
【０１０３】
また、実施形態において、指令決定部３０８および制御部３０９は、クラッチ１０５が接続状態になっている場合であっても、車両Ｖを加速させる加速操作が行われていない場合には、モータトルクをゼロにするモータトルク指令を出力する。このような構成によれば、クラッチ１０５の状態に加えて加速操作の有無をさらに考慮して、ダンパトルクがクラッチを介して車輪Ｗ側に伝達されるか否かに応じて、当該ダンパトルクの影響を低減するためのモータトルクを発生させるか否かを切り替えることができる。
【０１０４】
また、実施形態において、補正量算出部４０６は、動吸振トルクが発生しないと仮定した場合に想定されるクランク角とモータ角との位相差に対応した参照位相差（第１の値）と、クランク角センサ１３１により検出されるクランク角およびモータ角センサ１３２により検出されるモータ角の、エンジン１０１の爆発の一次周波数に対応した振動成分の位相差に対応した実位相差（第２の値）と、の差分に基づいて、位相補正量を算出する。このような構成によれば、参照位相差と実位相差との差分に基づいて、動吸振トルクに起因して発生する位相ズレに対応した位相補正量を容易に取得することができる。
【０１０５】
また、実施形態において、補正量算出部４０６は、クランク角センサ１３１により検出されるエンジン１０１の回転数と、シフトポジションセンサ１３５により検出されるトランスミッション１０３の変速段と、に基づいて、参照位相差を取得する。このような構成によれば、参照位相差が変化する要因として考えられる、エンジン１０１の回転数およびトランスミッション１０３の変速段を考慮して、適切な参照位相差を取得することができる。
【０１０６】
より具体的に、実施形態において、モータ制御装置１１０は、エンジン１０１の回転数と、トランスミッション１０３の変速段と、参照位相差と、の関係を示す位相補正用マップ４１１をさらに備えており、補正量算出部４０６は、クランク角センサ１３１により検出されるエンジン１０１の回転数およびシフトポジションセンサ１３５により検出されるトランスミッション１０３の変速段に基づいて位相補正用マップ４１１を参照することで、参照位相差を取得する。このような構成によれば、位相補正用マップ４１１を利用して、適切な参照位相差を容易に取得することができる。
【０１０７】
また、実施形態において、補正量算出部４０６は、クランク角センサ１３１により検出されるエンジン１０１の回転数と、シフトポジションセンサ１３５により検出されるトランスミッション１０３の変速段と、に基づいて、振幅補正量を取得する。このような構成によれば、動吸振トルクに起因して発生する振幅ズレに対応した振幅補正量が変化する要因として考えられる、エンジン１０１の回転数およびトランスミッション１０３の変速段を考慮して、適切な振幅補正量を取得することができる。
【０１０８】
より具体的に、実施形態において、モータ制御装置１１０は、エンジン１０１の回転数と、トランスミッション１０３の変速段と、振幅補正量と、の関係を示す振幅補正用マップ４１２をさらに備え、補正量算出部４０６は、クランク角センサ１３１により検出されるエンジン１０１の回転数およびシフトポジションセンサ１３５により検出されるトランスミッション１０３の変速段に基づいて振幅補正用マップ４１２を参照することで、振幅補正量を取得する。このような構成によれば、振幅補正用マップ４１２を利用して、適切な振幅補正量を容易に取得することができる。
【０１０９】
以下、実施形態の効果についてのさらなる説明を簡単に記載する。
【０１１０】
図９は、実施形態の効果についてのシミュレーション結果を示した例示的かつ模式的な図である。なお、図９の縦軸の「Ｄ／Ｓトルク」という表現は、ドライブシャフトトルクを意味している。
【０１１１】
図９に示される例において、実線Ｌ９０１は、動吸振トルクの影響を考慮して制振トルクを算出する実施形態にかかる技術によって実現される、エンジン１０１の回転数とドライブシャフトトルクの変動との関係を表している。また、破線Ｌ９０２は、従来と同様の技術的思想に基づいて動吸振トルクの影響を考慮せずに制振トルクを算出する比較例にかかる技術によって実現される、エンジン１０１の回転数とドライブシャフトトルクの変動との関係を表している。なお、一点鎖線Ｌ９００は、制振トルクによる制振を全く実施しない場合におけるエンジン１０１の回転数とドライブシャフトトルクの変動との関係を表している。
【０１１２】
一点鎖線Ｌ９００、実線Ｌ９０１、および破線Ｌ９０２をそれぞれ比較すれば分かるように、実施形態にかかる技術によれば、比較例にかかる技術よりも、ドライブシャフトトルクの変動を小さくすることができる。これは、実施形態にかかる技術においては、比較例にかかる技術と異なり、捩れトルクに対応した計算上のダンパトルクに基づく逆相トルクを、動吸振トルクに起因して発生する位相ズレおよび振幅ズレを考慮して適切に補正した上で制振トルクを決定しているためである。
【０１１３】
このように、実施形態にかかる技術によれば、比較例にかかる技術よりも、高い制振効果を得ることができる。
【０１１４】
＜変形例＞
なお、上述した実施形態では、位相補正量および振幅補正量の両方に基づいて、逆相トルクの補正が実行されている。しかしながら、位相補正量および振幅補正量のうち一方だけに基づいて逆相トルクを補正しても、たとえば全く補正しない場合に比べて、実際のダンパトルクをある程度のレベルで打消し可能な制振トルクを得ることが可能である。
【０１１５】
また、上述した実施形態では、動吸振器が出力慣性部材に設けられたダンパに本開示の技術が適用される例が示されている。しかしながら、本開示の技術は、入力慣性部材と出力慣性部材とのうち少なくとも一方に動吸振器が設けられた構成にも適用することが可能である。
【０１１６】
また、上述した実施形態において、エンジンの回転数は、クランク角センサの検出結果を利用する方法以外の方法で求められてもよいし、トランスミッションの変速段は、シフトポジションセンサの検出結果を利用する以外の方法で求められてもよい。たとえば、駆動システムの状態が、ドライブシャフトにトルクが伝達される伝達状態になっている場合、エンジンの回転数およびトランスミッションの変速段は、モータジェネレータの回転数などから求めることが可能である。また、トランスミッションの変速段は、トランスミッションのインプットシャフトとアウトプットシャフト（実施形態では不図示）との回転数の比などから求めることも可能である。
【０１１７】
以上、本開示の実施形態および変形例を説明したが、上述した実施形態および変形例はあくまで一例であって、発明の範囲を限定することは意図していない。上述した新規な実施形態および変形例は、様々な形態で実施されることが可能であり、発明の要旨を逸脱しない範囲で、種々の省略、置き換え、変更を行うことができる。上述した実施形態および変形例は、発明の範囲や要旨に含まれるとともに、特許請求の範囲に記載された発明とその均等の範囲とに含まれる。
【符号の説明】
【０１１８】
１０１  エンジン
１０２  モータジェネレータ
１０３  トランスミッション
１０４  ダンパ
１０５  クラッチ
１１０  モータ制御装置
１２１  クランクシャフト
１２２  モータシャフト
１２４  インプットシャフト
４０２  ダンパトルク算出部
４０４  逆相トルク算出部
４０６  補正量算出部
４０８  指令決定部（モータトルク指令出力部）
４０９  制御部（モータトルク指令出力部）
４１１  位相補正用マップ（第１マップ）
４１２  振幅補正用マップ（第２マップ）
【図１】
2020116978.tif 000003
【図２】
2020116978.tif 000004
【図３】
2020116978.tif 000005
【図４】
2020116978.tif 000006
【図５】
2020116978.tif 000007
【図６】
2020116978.tif 000008
【図７】
2020116978.tif 000009
【図８】
2020116978.tif 000010
【図９】
2020116978.tif 000011